(57)【要約】    【課題】        アンテナ部において不要輻射が発生することなく、かつ、受信信号の電力レベルが低いときでも、受信信号を高精度で校正できるアレイアンテナ受信装置を提供すること。    【解決手段】    アンテナ部１１１に捕捉される受信信号の電力レベルが低いときに限り、基準信号発生部１２３が作動し、基準信号が生成される。誤差算出部１２２は、基準信号が多重された受信信号についての情報Ｓ３と校正用信号Ｓ４とを比較することにより、受信ユニット１１０における信号処理によって受信信号に生じた受信信号の誤差を算出し、算出された受信信号の誤差に基づいて受信信号処理部１２１に受信信号の補償を命じる。  【選択図】        図１
2005064819.tif 000002
【特許請求の範囲】
【請求項１】
受信信号の受信レベルが閾値以下のときに限り、基準信号を発生させる基準信号発生手段と、
前記受信信号に前記基準信号を多重する複数の受信手段と、
前記基準信号が多重された受信信号と前記基準信号とを比較することによって前記受信手段それぞれにおける前記受信信号の誤差を算出する誤差算出手段と、
算出された前記受信信号の誤差に基づいて、前記受信信号を補正する受信信号処理手段と、を具備することを特徴とするアレイアンテナ受信装置。
【請求項２】
複数の前記受信手段の中から前記受信信号を取り出す前記受信手段を選択する選択手段と、
前記選択手段により取り出された前記受信信号を校正用信号として前記誤差算出手段に提供する校正用受信手段と、を具備し、
前記基準信号発生手段は、発生させた前記基準信号を前記校正用受信手段に提供し、
前記校正用受信手段は、提供された前記基準信号を前記受信信号に多重して前記誤差算出手段に提供する、ことを特徴とする請求項１記載のアレイアンテナ受信装置。
【請求項３】
前記基準信号が多重された前記受信信号における前記基準信号と雑音との電力レベルの比を算出し、算出された電力レベルの比に応じて前記基準信号の電力レベルを調整する電力比算出手段を具備することを特徴とする請求項１記載のアレイアンテナ受信装置。
【請求項４】
前記電力比算出手段は、ユーザ別に前記基準信号と前記雑音との電力レベルの比を算出し、算出された電力レベルの比に応じて前記基準信号の電力レベルを調整することを特徴とする請求項３記載のアレイアンテナ受信装置。
【請求項５】
複数の前記受信手段の中から前記受信信号を取り出す前記受信手段を選択する選択手段と、
前記選択手段により取り出された前記受信信号を校正用信号として前記誤差算出手段に提供する校正用受信手段と、
前記校正用受信手段又は前記基準信号発生手段のいずれか一方を前記選択手段に接続する切替手段と、を具備することを特徴とする請求項１記載のアレイアンテナ受信装置。
【請求項６】
複数の前記受信手段の中から前記受信信号を取り出す前記受信手段を選択する選択手段と、
前記選択手段により取り出された前記受信信号を校正用信号として前記誤差算出手段に提供する校正用受信手段と、を具備し、
前記受信手段はそれぞれ、入力端子、前記入力端子と方向性のある端子、前記入力端子と反対の方向性のある端子及び前記入力端子と方向性のない端子を備える方向性結合器を有し、
前記方向性結合器の前記入力端子に前記受信信号が入力される場合において、前記入力端子と方向性のある端子には前記選択手段を介して前記校正用受信手段が接続され、かつ、前記入力端子と反対の方向性のある端子には前記基準信号が入力され、かつ、前記入力端子と方向性のない端子には前記受信信号処理手段が接続される、ことを特徴とする請求項１記載のアレイアンテナ受信装置。
【請求項７】
複数の前記受信手段の中から前記受信信号を取り出す前記受信手段を選択する選択手段と、
前記選択手段により取り出された前記受信信号を校正用信号として前記誤差算出手段に提供する校正用受信手段と、を具備し、
前記受信手段はそれぞれ、入力端子、前記入力端子と方向性のある端子、前記入力端子と反対の方向性のある端子及び前記入力端子と方向性のない端子を備える方向性結合器を二つ有し、
一方の前記方向性結合器の前記入力端子に前記受信信号が入力される場合において、前記入力端子と方向性のある端子には前記選択手段を介して前記校正用受信手段が接続され、かつ、前記入力端子と反対の方向性のある端子には終端が接続され、かつ、前記入力端子と方向性のない端子には他方の前記方向性結合器の入力端子が接続され、
さらに、他方の前記方向性結合器においては、前記入力端子と方向性のある端子には終端が接続され、かつ、前記入力端子と反対の方向性のある端子には前記基準信号が入力され、かつ、前記入力端子と方向性のない端子には前記受信信号処理手段が接続されることを特徴とする請求項１記載のアレイアンテナ受信装置。
【請求項８】
受信信号の電力レベルを測定する測定ステップと、
測定された前記受信信号の電力レベルが閾値以下のときに限り、基準信号を発生させる基準信号発生ステップと、
前記受信信号に前記基準信号を多重する多重ステップと、
前記基準信号が多重された前記受信信号の電力レベルと前記基準信号の電力レベルとを比較することによって前記受信信号への信号処理に起因する前記受信信号の誤差を算出する誤差算出ステップと、
算出された前記受信信号の誤差に基づいて前記受信信号を補正する受信信号処理ステップと、を具備することを特徴とする受信信号の校正方法。
【発明の詳細な説明】
【技術分野】
【０００１】
本発明は、アレイアンテナ方式の無線装置及び受信信号の校正方法に関する。特に、アンテナ指向性を制御できるアダプティブアレイアンテナ方式の無線装置及びこの装置を用いた受信信号の校正方法に関する。
【背景技術】
【０００２】
従来、複数の無線部を備え、その無線部を介して送受信される信号に位相や振幅の重み付け処理を行うことによってアンテナ指向性を制御するアダプティブアレイアンテナ方式の無線装置が知られている（例えば、特許文献１参照）。このようなアダプティブアレイアンテナ方式の無線装置では、そのアンテナ指向性を通信開始前に予め設定することよって送受信される信号の信号対干渉波比を改善することができ、使用する無線通信回線の周波数利用効率や品質を高めることができる。
【０００３】
図７に、特許文献１に記載のアダプティブアレイアンテナ方式の無線装置の構成を示す。このアダプティブアレイアンテナ方式の無線装置は、アンテナ素子７１、重み付け器７２及び図示しない増幅器等を含む無線部を複数備える。各無線部における重み付け器７２は、送受信される信号の位相及び振幅にそれぞれ重み付け処理を施す。この重み付け処理によって前記無線装置のアンテナ指向性が制御され、その結果この無線装置の信号対干渉波比が改善されることになる。
【０００４】
しかしながら、このようなアダプティブアレイアンテナ方式の無線装置では、各無線部の個体差等によって送受信される信号に初期設定と異なる重みが負荷されるようになり、前記無線装置のアンテナ指向性が損なわれる場合が生じる。そのため、アダプティブアレイアンテナ方式の無線装置では、重みが負荷された送受信される信号についてその位相又は振幅を周期的に観測する必要があり、その観測値に基づいて前記重みを校正する必要がある。その校正方法の一例が、特許文献２に記載されている。
【０００５】
図８に、特許文献２に記載されたアダプティブアレイアンテナ方式の無線装置の構成を示す。この無線装置は、アンテナ部８１、多重分配回路８２、無線送受信部８３、多重分配回路８４及びユーザ信号処理部８５からなる無線信号処理部をｎ個具備し、さらに多重分配回路８６、キャリブレーション信号送受信処理部８７、キャリブレーション信号処理部８８及びキャリブレーション信号間隔決定部８９からなる校正用回路を具備する。
【０００６】
次いで、特許文献２に記載の無線装置におけるｎ個のアンテナ部８１で受信される受信信号の位相及び振幅の校正方法について、この無線装置に具備される構成部の動作と共に説明する。この無線装置では、個々のアンテナ部８１で受信された受信信号に多重分配回路８２においてそれぞれキャリブレーション信号が多重される。キャリブレーション信号が多重された受信信号は、無線送受信部８３に入力され、ここで増幅や復調等の公知の信号処理が施される。その後、受信信号は多重分配回路８４に入力され、ここで前記キャリブレーション信号が抽出される。ｎ個の多重分配回路８４においてそれぞれ抽出されたキャリブレーション信号は、全てキャリブレーション信号処理部８８に入力される。そして、キャリブレーション信号処理部８８において、各キャリブレーション信号の位相及び振幅が相互に比較されることにより、ｎ個の無線送受信部８３におけるそれぞれの信号処理によって生じた影響即ちキャリブレーション信号間の位相及び振幅に関する歪が算出される。そして、複数の無線信号処理部それぞれについて算出された歪に関する情報が、キャリブレーション信号処理部８８から各々対応するユーザ信号処理部８５に入力される。この歪に関する情報を入力されたユーザ信号処理部８５では、その情報に基づいて多重分配回路８４から入力されてくる受信信号に重み付け処理が施される。この重み付け処理により、各無線送受信部８３での信号処理によって生じる受信信号の歪が解消される。
【０００７】
また、その他の受信信号の校正方法として、図９に示す構成からなるアダプティブアレイアンテナ方式の無線装置を用いる方法が例示される。この無線装置の各構成部の動作について、以下に説明する。アンテナ素子９１で捕捉された受信信号は、無線受信系９２において増幅、周波数ダウンコンバート及び直交復調等の信号処理を施され、その後ベースバンド部９６に入力される。また、この受信信号はアンテナ素子９１から無線受信系９２の間で分配され、この分配された受信信号が減衰器９３及び無線部選択部９４を介して校正用無線受信系９５に入力される。校正用無線受信系９５に入力された受信信号は、周波数ダウンコンバートや直交復調等の信号処理を施された後にベースバンド部９６に入力される。ベースバンド部９６では、無線受信系９２を経由して入力されてくる受信信号と校正用無線受信系９５を経由して入力されてくる受信信号とが比較され、それら受信信号の位相及び振幅の差即ち無線受信系９２における信号処理によって生じた受信信号の歪が測定される。そして、無線部選択部９４を適宜切り替えることにより、複数の無線受信系９２それぞれについての受信信号の歪が測定され、その歪をベースバンド部９６で補償することにより、複数の無線受信系９２間における受信信号の位相及び振幅のばらつきが抑制される。このベースバンド部９６における補償により、この無線装置は、所望のアンテナ指向性を獲得して維持することができる。
【特許文献１】特開平９−２１９６１５号公報
【特許文献２】特開２００２−３５３８６５号公報
【発明の開示】
【発明が解決しようとする課題】
【０００８】
しかしながら、特許文献２に記載の受信信号の校正方法では、受信信号の電力レベルが高いときに電力の小さいキャリブレーション信号を受信信号に多重すると、キャリブレーション信号にとって受信信号が大きな雑音となってしまい、キャリブレーション信号を基準とした場合の信号対雑音電力比が劣化して受信信号の校正精度が低下する問題がある。また、特許文献２に記載の校正方法では、電力の大きいキャリブレーション信号を受信信号に多重すると、アンテナ部８１において不要輻射が発生するという問題がある。
【０００９】
また、図９に記載の無線装置においても、アンテナ素子９１からの受信信号の電力レベルが低いときには、受信信号が雑音の影響を受けやすくなり、受信信号の校正精度が劣化するという問題がある。
【００１０】
本発明はかかる点に鑑みてなされたものであり、アンテナ素子において不要輻射が発生することなく、かつ、受信信号の電力レベルが低いときでも、受信信号を高精度で校正できるアレイアンテナ受信装置及びその受信信号の校正方法を提供することを目的とする。
【課題を解決するための手段】
【００１１】
本発明に係るアレイアンテナ受信装置は、受信信号の受信レベルが閾値以下のときに限り、基準信号を発生させる基準信号発生手段と、前記受信信号に前記基準信号を多重する複数の受信手段と、前記基準信号が多重された受信信号と前記基準信号とを比較することによって前記受信手段それぞれにおける前記受信信号の誤差を算出する誤差算出手段と、算出された前記受信信号の誤差に基づいて、前記受信信号を補正する受信信号処理手段と、を具備する構成を採る。
【００１２】
この構成によれば、受信信号の受信レベルが所定の閾値以下のときに限り、基準信号が生成されるため、校正用信号として基準信号が不要なときには基準信号が受信信号に多重されないことから、基準信号が受信信号の雑音となって受信信号を劣化させることを防止することができる。
【００１３】
本発明に係るアレイアンテナ受信装置は、前記発明において、複数の前記受信手段の中から前記受信信号を取り出す前記受信手段を選択する選択手段と、前記選択手段により取り出された前記受信信号を校正用信号として前記誤差算出手段に提供する校正用受信手段と、を具備し、前記基準信号発生手段は、発生させた前記基準信号を前記校正用受信手段に提供し、前記校正用受信手段は、提供された前記基準信号を前記受信信号に多重して前記誤差算出手段に提供する構成を採る。
【００１４】
この構成によれば、前記発明による効果に加えて、基準信号を多重された受信信号が校正用信号として誤差算出手段に提供されるため、校正用信号自身の歪を検出することができる。
【００１５】
本発明に係るアレイアンテナ受信装置は、前記発明において、前記基準信号が多重された前記受信信号における前記基準信号と雑音との電力レベルの比を算出し、算出された電力レベルの比に応じて前記基準信号の電力レベルを調整する電力比算出手段を具備する構成を採る。
【００１６】
この構成によれば、前記発明による効果に加えて、基準信号の電力レベルと雑音の電力レベルとの比に応じて受信信号に多重される基準信号の電力レベルが調整されるため、受信信号が弱電界の場合でも基準信号電力対雑音電力比を受信信号の校正精度が劣化しない値に維持することができる。
【００１７】
本発明に係るアレイアンテナ受信装置は、前記発明において、前記電力比算出手段は、ユーザ別に前記基準信号と前記雑音との電力レベルの比を算出し、算出された電力レベルの比に応じて前記基準信号の電力レベルを調整する構成を採る。
【００１８】
この構成によれば、前記発明による効果に加えて、ユーザ別の基準信号電力対雑音電力比に基づいて受信信号に多重される基準信号の電力レベルが調整されるため、受信信号の電力レベルが低いユーザにとって基準信号が大きな干渉波となって通信品質が劣化する問題を回避することができる。
【００１９】
本発明に係るアレイアンテナ受信装置は、前記発明において、複数の前記受信手段の中から前記受信信号を取り出す前記受信手段を選択する選択手段と、前記選択手段により取り出された前記受信信号を校正用信号として前記誤差算出手段に提供する校正用受信手段と、前記校正用受信手段又は前記基準信号発生手段のいずれか一方を前記選択手段に接続する切替手段と、を具備する構成を採る。
【００２０】
この構成によれば、前記発明による効果に加えて、切替手段が設けられるため、基準信号発生手段と校正用受信手段とを完全に分離することができる。
【００２１】
本発明に係るアレイアンテナ受信装置は、前記発明において、複数の前記受信手段の中から前記受信信号を取り出す前記受信手段を選択する選択手段と、前記選択手段により取り出された前記受信信号を校正用信号として前記誤差算出手段に提供する校正用受信手段と、を具備し、前記受信手段はそれぞれ、入力端子、前記入力端子と方向性のある端子、前記入力端子と反対の方向性のある端子及び前記入力端子と方向性のない端子を備える方向性結合器を有し、前記方向性結合器の前記入力端子に前記受信信号が入力される場合において、前記入力端子と方向性のある端子には前記選択手段を介して前記校正用受信手段が接続され、かつ、前記入力端子と反対の方向性のある端子には前記基準信号が入力され、かつ、前記入力端子と方向性のない端子には前記受信信号処理手段が接続される構成を採る。
【００２２】
この構成によれば、前記発明による効果に加えて、アレイアンテナ受信装置の各構成部が方向性結合器の所定の端子に接続されるため、基準信号が不要輻射を発生させることを防止できると伴に、基準信号発生手段と校正用受信手段とのアイソレーションを十分に確保することができる。
【００２３】
本発明に係るアレイアンテナ受信装置は、前記発明において、複数の前記受信手段の中から前記受信信号を取り出す前記受信手段を選択する選択手段と、前記選択手段により取り出された前記受信信号を校正用信号として前記誤差算出手段に提供する校正用受信手段と、を具備し、前記受信手段はそれぞれ、入力端子、前記入力端子と方向性のある端子、前記入力端子と反対の方向性のある端子及び前記入力端子と方向性のない端子を備える方向性結合器を二つ有し、一方の前記方向性結合器の前記入力端子に前記受信信号が入力される場合において、前記入力端子と方向性のある端子には前記選択手段を介して前記校正用受信手段が接続され、かつ、前記入力端子と反対の方向性のある端子には終端が接続され、かつ、前記入力端子と方向性のない端子には他方の前記方向性結合器の入力端子が接続され、さらに、他方の前記方向性結合器においては、前記入力端子と方向性のある端子には終端が接続され、かつ、前記入力端子と反対の方向性のある端子には前記基準信号が入力され、かつ、前記入力端子と方向性のない端子には前記受信信号処理手段が接続される構成を採る。
【００２４】
この構成によれば、前記発明による効果に加えて、連結された方向性結合器の所定の端子にアレイアンテナ受信装置の各構成部が接続されるため、基準信号が不要輻射を発生させることを防止できると伴に、基準信号発生手段と校正用受信手段とのアイソレーションを容易、かつ、確実に確保することができる。
【００２５】
本発明に係る受信信号の校正方法は、受信信号の電力レベルを測定する測定ステップと、測定された前記受信信号の電力レベルが閾値以下のときに限り、基準信号を発生させる基準信号発生ステップと、前記受信信号に前記基準信号を多重する多重ステップと、前記基準信号が多重された前記受信信号の電力レベルと前記基準信号の電力レベルとを比較することによって前記受信信号への信号処理に起因する前記受信信号の誤差を算出する誤差算出ステップと、算出された前記受信信号の誤差に基づいて前記受信信号を補正する受信信号処理ステップと、を具備するようにした。
【００２６】
この方法によれば、受信信号の受信レベルが所定の閾値以下のときに限り、基準信号が生成されるため、校正用信号として基準信号が不要なときには基準信号が受信信号に多重されないことから、基準信号が受信信号の雑音となって受信信号を劣化させることを防止することができる。
【発明の効果】
【００２７】
本発明によれば、受信信号の電力レベルが高いときには、受信信号を分配して校正用信号として使用し、一方で受信信号の受信レベルが低いときには、基準信号を発生させてこの基準信号を校正用信号として使用するため、基準信号が受信信号に多重されても、基準信号が受信信号の雑音となって受信信号の校正精度を低下させることを効果的に抑制することができる。
【発明を実施するための最良の形態】
【００２８】
本発明の骨子は、アレイアンテナ受信装置において、受信信号の受信レベルが低いときに限り基準信号を発生させ、発生させた基準信号を校正用信号として受信信号に多重して、基準信号が多重された受信信号と基準信号とを異なる経路で誤差算出部に入力することにより、アレイアンテナ受信装置内の信号処理によって受信信号に生じた受信信号の誤差を算出し、算出された受信信号の誤差に基づいて受信信号を補償することである。
【００２９】
以下、本発明の実施の形態について、図面を参照しつつ詳細に説明する。
【００３０】
（実施の形態１）
図１は、本発明の実施の形態１に係るアレイアンテナ受信装置の構成を示すブロック図である。本実施の形態に係るアレイアンテナ受信装置は、アダプティブアレイアンテナ方式の受信装置であって、複数の受信ユニット１１０と、ベースバンド部１２０と、受信ユニット選択部１３１と、基準信号処理部１３２と、校正用受信部１３３と、を具備する。また、受信ユニット１１０はそれぞれ、アンテナ部１１１、分配・結合部１１２及び受信無線部１１３を具備する。また、ベースバンド部１２０は、受信信号処理部１２１、誤差算出部１２２及び基準信号発生部１２３を具備する。
【００３１】
アンテナ部１１１は、通信相手から送信されてくる無線信号を受信する。また、複数のアンテナ部１１１が規則的に配置されることにより、アレイアンテナが構成される。
【００３２】
分配・結合部１１２は、コンデンサや分配合成器等により構成され、アンテナ部１１１から入力されてくる受信信号を少なくとも２つの経路に分配した後に、その一方の経路における受信信号に基準信号発生部１２３で生成された基準信号を多重する。なお、分配・結合部１１２は、基準信号がアンテナ部１１１側に流入しないように、基準信号を遮断できるバンドパスフィルタ等を具備することが望ましい。
【００３３】
受信無線部１１３は、低雑音増幅器、ミキサー及び減衰器等で構成され、受信信号の増幅、周波数変換及び利得調整等を行う。
【００３４】
受信信号処理部１２１は、受信信号及び基準信号の電力レベルやそれらの位相等を測定する測定器を具備し、それらの電力レベルや位相等を常時又は周期的に測定して、その測定データＳ３を誤差算出部１２２に入力する。また、受信信号処理部１２１は、低雑音増幅器、重み付け器乃至変調器等をも具備して、誤差算出部１２２から入力されてくる誤差補正情報Ｓ５に基づいて受信信号が所望の振幅及び位相となるように、前記受信信号に所定の信号処理を施す。さらに、受信信号処理部１２１は、復調器等を具備し、受信信号を復調して受信データとして出力する。
【００３５】
誤差算出部１２２は、受信信号処理部１２１から入力されてくる受信信号及び基準信号の電力レベルやそれらの位相等についての測定データを、具備するメモリに受信ユニット１１０別に保持する。また、誤差算出部１２２は、校正用受信部１３３から入力されてくる校正用信号Ｓ４の電力レベルやその位相を測定する測定器を具備し、さらに校正用信号Ｓ４の電力レベルや位相等を前記メモリに保持される受信信号処理部１２１から入力されてくる測定データＳ３と比較する比較器も具備する。また、誤差算出部１２２は、具備する比較器を用いて受信ユニット１１０毎の受信信号又は基準信号の周波数、位相及び電力レベルとその受信ユニット１１０に対応する校正用信号Ｓ４の位相等とを比較して、受信ユニット１１０毎の受信信号又は基準信号とそれに対応する校正用信号Ｓ４とのずれ即ち受信ユニット１１０毎の受信信号の誤差を算出する。そして、誤差算出部１２２は、算出された受信ユニット１１０毎の受信信号の誤差に基づいて、受信信号処理部１２１が受信信号を受信データとして出力する際に理想的なアンテナ指向性を示すように、受信信号処理部１２１に対して各受信ユニット１１０の受信信号の周波数、位相乃至振幅等の補正を命じる誤差補正情報Ｓ５を入力する。
【００３６】
また、誤差算出部１２２は、基準信号発生部１２３から入力されてくる基準信号Ｓ１の位相等と基準信号が多重された校正用信号Ｓ４の位相等とを比較する比較器を具備する。ここで、基準信号Ｓ１は、基準信号発生部１２３によって生成された後、誤差算出部１２２に直接入力されると伴に、基準信号処理部１３２及び校正用受信部１３３を経由して誤差算出部１２２に入力される。従って、誤差算出部１２２は、基準信号Ｓ１と基準信号が多重された校正用信号Ｓ４とを比較することにより、基準信号処理部１３２及び校正用受信部１３３における信号処理によって基準信号に生じる歪を測定することができる。そして、誤差算出部１２２は、測定された基準信号の歪に基づいて校正用受信部１３３の信号処理に関する特性を把握できるため、この把握された特性を利用することにより、前記受信信号の誤差の算出精度を一層高めることができる。これは即ち、誤差補正情報Ｓ５の有効性を向上させることと同義であり、前記受信信号の誤差の算出精度が向上すれば、本実施の形態に係るアレイアンテナ受信装置のアンテナ指向性がより明確に示されるようになる。
【００３７】
基準信号発生部１２３は、クロック発信器等を具備し、所定の周波数及び振幅の基準信号を発生させる。なお、基準信号発生部１２３は、受信信号処理部１２１において測定される受信信号の電力レベルが所定の閾値以下となったときに限り、ベースバンド部１２０からの指示に基づいて基準信号を発生させる。従って、受信信号の電力レベルが十分に高いときには、基準信号発生部１２３は基準信号を発生させない。
【００３８】
受信ユニット選択部１３１は、半導体スイッチ等によって構成され、複数の受信ユニットの中からいずれかを適宜又は周期的に選択し、選択された受信ユニットの分配・結合部１１２から受信信号を入力される。
【００３９】
基準信号処理部１３２は、増幅器、ミキサー乃至減衰器等で構成され、基準信号発生部１２３から入力されてくる基準信号に対して、増幅、周波数変換乃至利得調整等の信号処理を施す。
【００４０】
校正用受信部１３３は、低雑音増幅器、ミキサー及び減衰器等で構成され、受信ユニット選択部１３１から入力されてくる分配・結合部１１２で分配された受信信号に対して、増幅、周波数変換及び利得調整等の信号処理を施す。さらに、校正用受信部１３３は、コンデンサや分配合成器等をも具備して、基準信号処理部１３２から入力されてくる基準信号Ｓ２を受信ユニット選択部１３１から入力されてくる受信信号に多重する。
【００４１】
次いで、本実施の形態に係るアレイアンテナ受信装置の動作について説明する。先ず、受信ユニット１１０のアンテナ部１１１に捕捉される受信信号の電力レベルが十分高い場合について説明する。この場合は、基準信号発生部１２３は作動せず、基準信号は生成されない。
【００４２】
アンテナ部１１１によって受信された受信信号は、分配・結合部１１２に入力され、ここで受信無線部１１３に向かう経路と受信ユニット選択部１３１に向かう経路との２つの経路に分配される。受信無線部１１３において受信信号は、増幅、周波数変換及び利得調整等の周知の信号処理を施される。その後、受信信号は、受信信号処理部１２１において、その周波数、位相及び電力レベル（振幅）等が測定される。なお、受信信号処理部１２１における受信信号についての前記測定は、 受信ユニット１１０毎に行われる。そして、 受信ユニット１１０毎の受信信号の周波数、位相及び電力レベル等についての測定データＳ３が、受信信号処理部１２１から誤差算出部１２２に入力されてメモリに保持される。
【００４３】
一方で、分配・結合部１１２によって分配されたもう一つの経路の受信信号は、受信ユニット選択部１３１によってその帰属する受信ユニット１１０が選択されたときに、校正用受信部１３３に入力される。校正用受信部１３３に入力された受信信号は、増幅、周波数変換及び利得調整等の周知の信号処理を施された後に校正用信号Ｓ４として誤差算出部１２２に入力される。誤差算出部１２２では、メモリに保持される受信ユニット１１０毎の測定データＳ３とそれに対応する校正用信号Ｓ４とについて、それぞれの周波数、位相及び電力レベル等が比較され、校正用信号Ｓ４を基準とした受信ユニット１１０毎の測定データＳ３のずれ即ち受信信号の誤差が算出される。そして、この算出された受信信号の誤差を校正するための誤差補正情報Ｓ５が生成され、この誤差補正情報Ｓ５が誤差算出部１２２から受信信号処理部１２１に入力される。受信信号処理部１２１では、誤差補正情報Ｓ５に基づいて、受信信号が理想的なアンテナ指向性を示すように受信ユニット１１０別に受信信号が校正される。
【００４４】
このように本実施の形態に係るアレイアンテナ受信装置は、受信信号の電力レベルが十分高い場合には、基準信号を発生させることなく、受信信号を分配して校正用信号Ｓ４として利用することにより、受信信号が理想的なアンテナ指向性を示すように、受信信号を効果的に校正することができる。またこの場合は、基準信号を発生させない方が受信信号の校正精度が高くなる。なぜなら、受信信号の電力レベルが高いときに、受信信号に電力レベルの低い基準信号を多重しても、電力レベルの違いから基準信号を取り出すことができないため、多重された基準信号が受信信号にとって単なる雑音になってしまうからである。加えて、受信信号の電力レベルに合わせて、多重する基準信号の電力レベルを高くすると、アンテナ部１１１において不要輻射が発生するからである。
【００４５】
ところが、受信ユニット１１０におけるアンテナ部１１１に捕捉される受信信号の電力レベルが低い場合には、熱雑音等の除去することが困難な要因に由来する受信信号の劣化が顕在化するため、これに伴って受信信号の誤差も大きくなり、受信信号を分配した校正用信号だけでは受信信号を的確に校正できなくなる。そこで、受信信号の受信レベルが低いときには、分配された受信信号以外の校正用信号即ち本実施の形態における基準信号を使用する必要がある。
【００４６】
続いて、受信ユニット１１０のアンテナ部１１１に捕捉される受信信号の電力レベルが予め設定された閾値以下である場合における本実施の形態に係るアレイアンテナ受信装置の動作について説明する。なお、前述の受信信号の電力レベルが十分高い場合と重複する説明は割愛する。
【００４７】
複数の受信ユニット１１０から受信信号処理部１２１に入力される複数の受信信号の電力レベルについて、その過半数が所定の閾値以下になったことを受信信号処理部１２１が検出したときは、ベースバンド部１２０から基準信号発生部１２３に作動開始命令が入力される。この作動開始命令に従い、基準信号発生部１２３は、具備するクロック発生器を用いて所定の周波数及び振幅の基準信号を発生させる。そして、基準信号発生部１２３は、発生させた基準信号を誤差算出部１２２に直接入力する（Ｓ１）と伴に、基準信号処理部１３２にも入力する。基準信号処理部１３２に入力された基準信号は、増幅、周波数変換乃至利得調整等の信号処理を施された後に、受信ユニット選択部１３１と校正用受信部１３３（Ｓ２）とにそれぞれ入力される。受信ユニット選択部１３１に入力された基準信号は、受信ユニット選択部１３１が選択する受信ユニット１１０の分配・結合部１１２に入力され、その分配・結合部１１２によって受信信号に所定の電力比で多重される。なお、この分配・結合部１１２は、基準信号が受信信号に多重される際に、基準信号がアンテナ部１１１側に流入して不要輻射を生じさせないように、基準信号を遮断するバンドパスフィルタ等を具備することが好ましい。この基準信号が多重された受信信号は、受信無線部１１３及び受信信号処理部１２１において所定の信号処理を施される。そして、受信信号処理部１２１において、基準信号を多重された受信信号から基準信号と受信信号が分離され、基準信号及び受信信号それぞれの周波数、位相及び電力レベル等についての情報とが生成され、これらの情報Ｓ３が受信ユニット１１０毎に誤差算出部１２２に保持される。
【００４８】
一方で、基準信号処理部１３２から校正用受信部１３３に入力される基準信号Ｓ２は、校正用受信部１３３において受信ユニット選択部１３１から入力されてくる受信信号と所定の電力レベルの比となるように多重された後に、誤差算出部１２２に入力される。
【００４９】
誤差算出部１２２では、具備するメモリに保持された受信ユニット１１０毎の測定データＳ３と、この測定データＳ３に対応する即ち受信信号の提供元が同じ受信ユニット１１０である校正信号Ｓ４と、基準信号Ｓ１と、について、それぞれの周波数、位相及び電力レベルが比較され、受信信号の誤差が算出される。そして、算出された受信信号の誤差を校正するための誤差補正情報Ｓ５が生成され、この誤差補正情報Ｓ５が受信信号処理部１２１に入力される。受信信号処理部１２１では、受信信号が理想的なアンテナ指向性を示すように、誤差補正情報Ｓ５に従い受信ユニット１１０別に受信信号が校正される。
【００５０】
なお、本発明において、基準信号発生部１２３が作動開始する基準となる閾値の具体的な値は特定されるものではない。なぜなら、アレイアンテナ受信装置の構成や使用環境によって、基準信号が受信信号の校正精度を改善できるようになる閾値が異なるからである。
【００５１】
このように本実施の形態に係るアレイアンテナ受信装置によれば、受信信号の電力レベルが所定の閾値より高いときには、基準信号を発生させることなく校正用信号として受信信号を分配して利用し、一方で受信信号の電力レベルが所定の閾値以下のときには、基準信号を発生させて校正用信号として基準信号を利用するため、受信信号の電力レベルに応じて受信信号のアンテナ指向性が常時有効に示されるように受信信号の高い校正精度を適応的に維持することができる。
【００５２】
また、本実施の形態に係るアレイアンテナ受信装置によれば、受信信号の受信レベルが所定の閾値より高いときには、基準信号を発生させないため、アンテナ部１１１において基準信号に起因する不要輻射が生じることもない。
【００５３】
なお、本実施の形態に係るアレイアンテナ受信装置を、以下のように応用したり、変形したりしてもよい。
【００５４】
本実施の形態では、受信信号の電力レベル及び基準信号の電力レベルに基づいて閾値を設定する場合について説明したが、本発明はこの場合に限定されるものではなく、例えば信号電力対雑音電力比（ＳＮＲ：Signal to Noise Ratio）や信号電力対干渉電力比（ＳＩＲ）を用いてもよい。
【００５５】
本実施の形態では、基準信号処理部１３２から校正用受信部１３３に基準信号Ｓ２が入力される場合について説明したが、本発明はこの場合に限定されるものではなく、例えば基準信号Ｓ２が校正用受信部１３３から入力されないようにしてもよい。このように基準信号Ｓ２が校正用受信部１３３に入力されなくても、基準信号発生部１２３から誤差算出部１２２に基準信号Ｓ１が直接入力されるため、受信信号処理部１２１から誤差算出部１２２に入力される測定データＳ３について、誤差算出部１２２は誤差補正情報Ｓ５を生成することができる。
【００５６】
また、本実施の形態では、受信信号の電力レベルが低く基準信号が生成されるときでも、校正用受信部１３３において分配・結合部１１２で分配された受信信号と基準信号とを多重する場合について説明したが、本発明はこの場合に限定されるものではなく、例えば基準信号が生成されるときには、受信ユニット選択部１３１から校正用受信部１３３に受信信号が入力されないようにしてもよい。このようにすれば、校正用受信部１３３から誤差算出部１２２に入力される校正用信号Ｓ４が基準信号だけで構成されるため、校正用信号Ｓ４において受信信号が基準信号の雑音となって校正用信号Ｓ４を劣化させることを防止できる。
【００５７】
（実施の形態２）
図２に、本発明の実施の形態２に係るアレイアンテナ受信装置の構成を示す。本実施の形態に係るアレイアンテナ受信装置は、実施の形態１におけるアレイアンテナ受信装置において、ベースバンド部１２０の代わりに、ベースバンド部１２０に基準信号対雑音電力比算出部２２１を付加したベースバンド部２２０を具備するものである。従って、本実施の形態に係るアレイアンテナ受信装置の構成要素の多くは、実施の形態１におけるアレイアンテナ受信装置の構成要素と同じ機能を発揮する。そこで、このような同じ機能を発揮する構成要素については、同一の参照符号を付してその説明を省略する。
【００５８】
基準信号対雑音電力比算出部２２１には、各受信ユニット１１０から受信信号処理部１２１に基準信号の多重された受信信号が入力される際に、それらの受信信号が受信信号処理部１２１に入力される前に分配されて入力される。ここで、例えば分配・結合部１１２において基準信号が受信信号に対して＋１０ｄＢで多重されるように設定され、かつ、基準信号電力対雑音電力比（ＳＮＲ）が０ｄＢ以下になると受信信号処理部１２１における受信信号の校正精度が急激に低下すると仮定する。この仮定において、受信信号の電力レベルが低下すると、それに伴って基準信号の電力レベルも低下する。そのため、アレイアンテナ受信装置が弱電界地域において使用される場合は、基準信号に対する熱雑音の影響が相対的に大きくなり、基準信号電力対雑音電力比が０ｄＢ以下となってしまう。そこで、本実施の形態では、基準信号対雑音電力比算出部２２１に入力されてくる基準信号が多重された受信信号について、基準信号の電力レベルとその他の雑音の電力レベルとの比を算出して、この電力レベルの比が常に０ｄＢ以上となるように、基準信号対雑音電力比算出部２２１から基準信号処理部１３２に対してそれらの利得を制御する制御信号Ｓ６を入力する。
【００５９】
以上のように本実施の形態のアレイアンテナ受信装置によれば、受信信号が弱電界の場合でも基準信号電力対雑音電力比を校正精度が劣化しない値に維持することができるため、受信信号の弱電界時においてもアンテナ指向性の校正精度を確実に向上させることができる。
【００６０】
（実施の形態３）
図３に、本発明の実施の形態３に係るアレイアンテナ受信装置の構成を示す。本実施の形態に係るアレイアンテナ受信装置は、実施の形態１におけるアレイアンテナ受信装置において、ベースバンド部１２０の代わりに、ベースバンド部１２０にユーザ別電力比算出部３２１を付加したベースバンド部３２０を具備するものである。従って、本実施の形態に係るアレイアンテナ受信装置の構成要素の多くは、実施の形態１におけるアレイアンテナ受信装置の構成要素と同じ機能を発揮する。そこで、このような同じ機能を発揮する構成要素については、同一の参照符号を付してその説明を省略する。
【００６１】
アレイアンテナ受信装置は、ＣＤＭＡ（符号分割多元接続）等の公知の多重接続方式を利用して複数のユーザから同時に受信信号を受け取る。この受信信号は、受信信号処理部１２１に入力され、ここでユーザ別の受信信号に分割される。そして、ユーザ別に分割された受信信号は、受信信号処理部１２１からユーザ別電力比算出部３２１に入力され、ここでユーザ別の受信電力の電力レベルがそれぞれ算出される。そして、算出されたユーザ別の受信信号の電力レベルに基づいて、ユーザ別電力比算出部３２１は、受信信号の電力レベルが最も低いユーザを選択する。さらに、ユーザ別電力比算出部３２１は、選択されたユーザの受信信号の電力レベルに対して、基準信号の電力レベルを干渉波としたときの信号電力対干渉電力比（ＳＩＲ）が例えば＋１０ｄＢで分配・結合部１１２によって多重されるように、基準信号処理部１３２にそれらの利得を制御する制御信号Ｓ７を入力する。なお、ＣＤＭＡ方式で複数のユーザと同時に通信を行う場合、分配・結合部１１２において受信信号に実際に多重される基準信号の電力レベルは、受信信号の電力レベルが最も低いユーザについて算出された基準信号の電力レベルに対して同時通信を行うユーザ数を乗じた電力レベルとなる。
【００６２】
本実施の形態に係るアレイアンテナ受信装置によれば、全てのユーザからの受信信号が多重された状態を基準として受信信号に多重する基準信号の電力レベルを設定した場合に生じる問題、即ち受信信号の電力レベルが低いユーザにとって基準信号が大きな干渉波となり通信品質を劣化させる問題を回避することができる。換言すれば、本実施の形態に係るアレイアンテナ受信装置によれば、ユーザ別に分割された受信信号について最低の電力レベルを基準としてＳＩＲが所定の電力レベルの比となるように実際に多重される基準信号の電力レベルが設定されるため、基準信号が大きな干渉波となって受信信号に悪影響を与えることを抑制し、その結果受信信号の電力レベルが低いユーザの通信品質の劣化を防止することができる。
【００６３】
（実施の形態４）
図４に、本発明の実施の形態４に係るアレイアンテナ受信装置の構成を示す。本実施の形態に係るアレイアンテナ受信装置は、実施の形態１におけるアレイアンテナ受信装置において、受信ユニット選択部１３１と校正用受信部１３３と基準信号処理部１３２との間に、これらの構成部に接続される切替器４０１を具備するものである。この切替器４０１は、受信ユニット選択部１３１と基準信号処理部１３２又は校正用受信部１３３のいずれか一方とを選択的に接続する。従って、本実施の形態においては、基準信号処理部１３２から校正用受信部１３３に基準信号Ｓ２は入力されない。
【００６４】
次いで、本実施の形態に係るアレイアンテナ受信装置の構成及び動作について説明する。なお、本実施の形態に係るアレイアンテナ受信装置の構成要素の多くは実施の形態１におけるアレイアンテナ受信装置の構成要素と同じ機能を発揮する。そこで、このような同じ機能を発揮する構成要素については、同一の参照符号を付してその説明を省略する。
【００６５】
切替器４０１は、例えば半導体スイッチによって構成され、受信信号の電力レベルが所定の閾値より高いときには、校正用受信部１３３と受信ユニット選択部１３１とを接続する。このとき、基準信号処理部１３２と校正用受信部１３３とは、完全に分離される。一方で、受信信号の電力レベルが所定の閾値以下のときには、切替器４０１は、作動開始した基準信号発生部１２３から入力されてくる切替信号Ｓ８に従って受信ユニット選択部１３１と基準信号処理部１３２とを接続する。このときも、基準信号処理部１３２と校正用受信部１３３とは、完全に分離される。さらに、切替器４０１は、基準信号発生部１２３が作動停止するとき、基準信号発生部１２３から再度切替信号Ｓ８を入力されることにより、再び受信ユニット選択部１３１と校正用受信部１３３とを接続する。
【００６６】
このように本実施の形態に係るアレイアンテナ受信装置によれば、基準信号処理部１３２と校正用受信部１３３とが完全に分離されるため、受信信号の電力レベルが所定の閾値より高いときに、基準信号処理部１３２の出力端のインピーダンス変動が校正用受信部１３３の入力端に影響を与えなくなることから、校正用受信部１３３における受信信号の劣化を抑制することができる。また、本実施の形態に係るアレイアンテナ受信装置によれば、受信信号の電力レベルが所定の閾値以下のときにも、基準信号処理部１３２と校正用受信部１３３とが完全に分離されるため、校正用受信部１３３の入力端のインピーダンス変動が基準信号処理部１３２の出力端に影響を与えなくなることから、受信信号に多重される基準信号の劣化を抑制することができる。
【００６７】
（実施の形態５）
図５に、本発明の実施の形態５に係るアレイアンテナ受信装置の構成を示す。本実施の形態に係るアレイアンテナ受信装置は、実施の形態１におけるアレイアンテナ受信装置において、分配・結合部１１２の代わりに方向性結合器５１２を備える受信ユニット５１０を具備し、また受信ユニット選択部１３１の代わりに方向性結合器５１２の端子にそれぞれ接続される２つの受信ユニット選択部５３１、５３２を具備する。さらに、本実施の形態に係るアレイアンテナ受信装置は、方向性結合器５１２と受信ユニット選択部５３１、５３２との間に、それぞれアイソレータ５２１、５２２を具備する。なお、受信ユニット選択部５３１，５３２は、受信ユニット選択部１３１の代わりに使用されるものであって、受信ユニット選択部１３１と同様の機能を発揮する。
【００６８】
次いで、本実施の形態に係るアレイアンテナ受信装置の構成及び動作について説明する。なお、本実施の形態に係るアレイアンテナ受信装置の構成要素の多くは、実施の形態１におけるアレイアンテナ受信装置の構成要素と同じ機能を発揮するため、このような同じ機能を発揮する構成要素については、同一の参照符号を付してその説明を省略する。
【００６９】
方向性結合器５１２は、アンテナ部１１１に接続されることにより受信信号が入力されてくる入力端子ａ（以下、単に「入力端子ａ」という）と、受信無線部１１３を介して受信信号処理部１２１に接続される入力端子と方向性のない端子ｂ（以下、単に「無方向端子ｂ」という）と、アイソレータ５２２を介して受信ユニット選択部５３２に接続される入力端子と方向性のある端子ｃ（以下、単に「方向性端子ｃ」という）と、アイソレータ５２１を介して受信ユニット選択部５３１に接続される入力端子と反対の方向性のある端子ｄ（以下、単に「反対端子ｄ」という）と、の４つの端子を具備する。ここで、例えば方向性結合器５１２の結合度が２０ｄＢで、そのアイソレーションが６０ｄＢであるとすると、反対端子ｄから入力される基準信号は、２０ｄＢ減衰されて入力端子ａから入力されてくる受信信号に多重され、無方向端子ｂから受信無線部１１３に向けて出力される。このように、基準信号が２０ｄＢ減衰されて受信信号に多重されるのは、反対端子ｄに対して無方向端子ｂが方向性を示すからである。そして、反対端子ｄから入力された基準信号は、入力端子ａから６０ｄＢ減衰されて出力される。従って、この方向性結合器５１２を使用すれば、アンテナ部１１１には基準信号が殆ど流入しないことから、アンテナ部１１１で不要輻射が生じて問題となることはない。
【００７０】
このように本実施の形態に係るアレイアンテナ受信装置よれば、入力端子ａと反対端子ｄとのアイソレーションが高いため、受信信号に基準信号を多重してもアンテナ部１１１に基準信号が流入することを効果的に抑制することができ、その結果アンテナ部１１１において不要輻射が発生することを防止することができる。また、本実施の形態に係るアレイアンテナ受信装置よれば、アイソレータ５２１、５２２を具備するため、基準信号処理部１３２にインピーダンス変動が起きても校正用受信部１３３にその影響が及ぶことを防止することができ、同様に校正用受信部１３３にインピーダンス変動が起きても基準信号処理部１３２にその影響が及ぶことを防止することができる。
【００７１】
なお、本実施の形態に係るアレイアンテナ受信装置を、以下のように応用したり、変形したりしてよい。
【００７２】
本実施の形態では、アイソレータ５２１、５２２を使用する場合について説明したが、本発明はこの場合に限定されるものではなく、例えばアイソレータ５２１、５２２の代わりに単極双投接点（ＳＰＤＴ：Single-Pole Double-Throw）をそれぞれ用いてよい。このようにＳＰＤＴを２つ用いる場合は、基準信号処理部１３２又は校正用受信部１３３のいずれか一方のみが方向性結合器５１２と接続されるように、２つのＳＰＤＴを連動させて制御することが好ましい。
【００７３】
（実施の形態６）
図６に、本発明の実施の形態６に係るアレイアンテナ受信装置の構成を示す。本実施の形態に係るアレイアンテナ受信装置は、実施の形態５におけるアレイアンテナ受信装置において、受信ユニット５１０の方向性結合器５１２の代わりに、連結された方向性結合器６１２、６１３を備える受信ユニット６１０を具備するものである。従って、本実施の形態に係るアレイアンテナ受信装置の構成要素の多くは、実施の形態５におけるアレイアンテナ受信装置の構成要素と同じ機能を発揮する。以下、本実施の形態に係るアレイアンテナ受信装置の構成及び動作について説明するが、実施の形態５に係るアレイアンテナ受信装置の構成要素と同じ機能を発揮する構成要素については、同一の参照符号を付してその説明を省略する。
【００７４】
方向性結合器６１２、６１３には、実施の形態５における方向性結合器５１２と同じ機能を発揮するものを利用することができる。そこで、方向性結合器６１２、６１３の４つの端子について、方向性結合器５１２と同様に表記して、受信信号が入力されてくる端子を入力端子ａと、入力端子ａと方向性のない端子を無方向端子ｂと、入力端子ａと方向性のある端子を方向性端子ｃと、入力端子ａと反対の方向性のある端子を反対端子ｄと、する。
【００７５】
方向性結合器６１２の入力端子ａには、アンテナ部１１１が接続され、アンテナ部１１１から受信信号が入力されてくる。また、方向性結合器６１２の無方向端子ｂには、方向性結合器６１３の入力端子ａが接続される。また、方向性結合器６１２の方向性端子ｃには、受信ユニット選択部５３２を介して校正用受信部１３３が接続される。また、方向性結合器６１２の反対端子ｄには、不要な反射が生じないように、終端抵抗６１４が接続される。さらに、方向性結合器６１３の無方向端子ｂには、受信無線部１１３を介して受信信号処理部１２１が接続される。また、方向性結合器６１３の方向性端子ｃには、不要な反射が生じないように、終端抵抗６１５が接続される。また、方向性結合器６１３の反対端子ｄには、受信ユニット選択部５３１を介して基準信号処理部１３２が接続される。
【００７６】
ここで、前記実施の形態５と同様に方向性結合器６１２、６１３の結合度が２０ｄＢで、それらのアイソレーションが６０ｄＢであると仮定する。そうすると、基準信号処理部１３２と校正用受信部１３３との間には、方向性結合器６１２、６１３が介在することから、それらの端子の接続状態に鑑みれば、基準信号処理部１３２と校正用受信部１３３との間には、方向性結合器６１２、６１３それぞれのアイソレーションが重畳的に作用する結果、都合１２０ｄＢのアイソレーションが確保されることになる。そのため、基準信号処理部１３２と校正用受信部１３３とにおいて、それぞれインピーダンス変動が生じても、その影響が他方に及ぶおそれはない。
【００７７】
また、基準信号は、方向性結合器６１３の反対端子ｄから入力され２０ｄＢ減衰されて、入力端子ａから入力されてくる受信信号に多重される。また、基準信号は、アンテナ部１１１に流入するとしても、方向性結合器６１３の入力端子ａから出力されるときに６０ｄＢ減衰されることから、アンテナ部１１１からの不要輻射を充分に小さくできる。
【００７８】
このように本実施の形態に係るアレイアンテナ受信装置によれば、方向性結合器６１２、６１３の端子の接続態様を調整することにより、アンテナ部１１１へ流入する基準信号の電力レベルを効果的に減衰させることができる。その結果、本実施の形態に係るアレイアンテナ受信装置によれば、アンテナ部１１１から放射される不要輻射を小さくすることができる。
【００７９】
また、本実施の形態に係るアレイアンテナ受信装置によれば、方向性結合器６１２、６１３の端子の接続態様を調整することにより、基準信号処理部１３２及び校正用受信部１３３との間のアイソレーションを十分に取ることができる。そのため、方向性結合器６１２、６１３と基準信号処理部１３２及び校正用受信部１３３との間にアイソレータを配置しなくても、基準信号処理部１３２又は校正用受信部１３３のいずれかにおいてインピーダンス変動が生じたときに、その影響が他方に及ぶことを効果的に抑制することができる。従って、本実施の形態に係るアレイアンテナ受信装置によれば、アイソレータを具備する必要がなくなるため、装置の小型化を図ることができる。
【産業上の利用可能性】
【００８０】
本発明にかかるアレイアンテナ受信装置及び受信信号の校正方法は、基準信号が多重された受信信号について基準信号が受信信号の雑音となって受信信号の校正精度を低下させる問題を回避する必要のあるアレイアンテナ方式の無線装置や受信信号の校正方法等の用途に適用できる。
【図面の簡単な説明】
【００８１】
【図１】本発明の実施の形態１に係るアレイアンテナ受信装置の構成を示すブロック図
【図２】本発明の実施の形態２に係るアレイアンテナ受信装置の構成を示すブロック図
【図３】本発明の実施の形態３に係るアレイアンテナ受信装置の構成を示すブロック図
【図４】本発明の実施の形態４に係るアレイアンテナ受信装置の構成を示すブロック図
【図５】本発明の実施の形態５に係るアレイアンテナ受信装置の構成を示すブロック図
【図６】本発明の実施の形態６に係るアレイアンテナ受信装置の構成を示すブロック図
【図７】従来のアダプティブアレイアンテナ方式の無線装置の構成を示すブロック図
【図８】従来のアダプティブアレイアンテナ方式の無線装置の構成を示すブロック図
【図９】従来のアダプティブアレイアンテナ方式の無線装置の構成を示すブロック図
【符号の説明】
【００８２】
１１０    受信ユニット
１１１    アンテナ部
１１２    分配・結合部
１１３    受信無線部
１２０、２２０、３２０    ベースバンド部
１２１    受信信号処理部
１２２    誤差算出部
１２３    基準信号発生部
１３１、５３１、５３２    受信ユニット選択部
１３２    基準信号処理部
１３３    校正用受信部
２２１    基準信号対雑音電力比算出部
３２１    ユーザ別電力比算出部
４０１    切替器
５１２、６１２、６１３    方向性結合器
５２１、５２２    アイソレータ
【図１】
2005064819.tif 000003
【図２】
2005064819.tif 000004
【図３】
2005064819.tif 000005
【図４】
2005064819.tif 000006
【図５】
2005064819.tif 000007
【図６】
2005064819.tif 000008
【図７】
2005064819.tif 000009
【図８】
2005064819.tif 000010
【図９】
2005064819.tif 000011